【事件の表示】
　特願２０１５−１１３２９２号「遊技機」拒絶査定不服審判事件〔平成２７年１０月１５日出願公開、特開２０１５−１８０２８８号〕について、次のとおり審決する。
【結　論】
　本件審判の請求は、成り立たない。
【理　由】
１　手続の経緯・本願発明
　本願は、平成２４年８月３１日に出願した特願２０１２−１９１６９０号の一部を平成２７年６月３日に新たな特許出願としたものであって、平成２８年５月２５日付けで拒絶の理由が通知され、同年７月２１日に意見書及び手続補正書が提出され、同年１１月１４日付け（発送日：１１月２２日）で拒絶査定がなされ、これに対して、平成２９年１月２０日付けで拒絶査定不服審判の請求がなされると同時に手続補正がなされたものである。
　一方、当審において、平成２９年６月２８日付け（発送日：７月４日）で拒絶理由を通知し、応答期間内である平成２９年８月３０日に意見書及び手続補正書が提出されたところである。
　そして、この出願の請求項１に係る発明（以下「本願発明」という。）は、平成２９年８月３０日付け手続補正書により補正された特許請求の範囲の請求項１に記載された次のとおりのものと認める（Ａ〜Ｉについては、発明特定事項を分説するため当審で付した。）。
「【請求項１】
Ａ　遊技者に有利な特別遊技を行うか否かの特別遊技判定を行う特別遊技判定手段と、
Ｂ　表示手段を含む所定の演出手段に所定の演出を行わせる演出制御手段と、を備え、
Ｃ　前記演出制御手段は、
Ｄ　前記特別遊技判定手段の判定結果に基づいて、前記表示手段において、複数の装飾図柄を変動表示させてから所定の停止パターンで停止表示させる変動演出を行わせることが可能であると共に、前記変動演出において、前記特別遊技が行われる可能性が高いことを示唆するリーチ演出を行わせることが可能であり、
Ｅ　前記複数の装飾図柄のうち少なくとも２つの装飾図柄を同一図柄となる第１停止パターンで停止表示させてから、前記複数の装飾図柄の全てを停止表示させないで、前記リーチ演出のうちの特定のリーチ演出を行わせる第１演出パターンを実行するときと、
Ｆ　前記複数の装飾図柄のうち少なくとも２つの装飾図柄を前記第１停止パターンで停止表示させた後、前記複数の装飾図柄の全てを所定の組み合わせとなる第２停止パターンで停止表示させてから前記特定のリーチ演出を行わせる第２演出パターンを実行するときと、があり、
Ｇ　前記第２停止パターンで停止表示された装飾図柄は、前記リーチ演出が実行されることを示唆可能な表示態様であり、
Ｈ　前記第１演出パターンにおいて前記第１停止パターンで停止表示されるタイミングは、前記第２演出パターンにおいて前記第１停止パターンで停止表示されるタイミングと同じであり、
Ｉ　前記第２演出パターンにおいて前記第２停止パターンで停止表示されるタイミングよりも、前記第１演出パターンにおいて前記特定のリーチ演出が実行されるタイミングの方が早い、遊技機。」
２　刊行物
　当審において通知した拒絶の理由に引用された特開２０１２−２９８８８号公報（以下、「刊行物」という。）には、次の事項が図面とともに記載されている。
（ア）「【００２１】
　まず、遊技機の一例である
パチンコ遊技機１
（イ）「【００９１】
　なお、遊技制御用マイクロコンピュータ５６０においてＣＰＵ５６がＲＯＭ５４に格納されているプログラムにしたがって制御を実行するので、以下、
遊技制御用マイクロコンピュータ５６０（またはＣＰＵ５６）が実行する（または、処理を行なう）ということは、具体的には、ＣＰＵ５６がプログラムにしたがって制御を実行することである
（ウ）「【００９５】
　
遊技制御用マイクロコンピュータ５６０は、
大当りとするか否かを決定
大当りとすると決定したときに、遊技状態を遊技者にとって有利な
大当り遊技状態に移行させる
（エ）「【０１００】
　この実施の形態では、演出制御基板８０に搭載されている
演出制御手段（演出制御用マイクロコンピュータで構成される。）が、
遊技制御用マイクロコンピュータ５６０から演出内容を指示する演出制御コマンドを受信し、演出図柄を変動表示する演出表示装置９との表示制御を行なう
（オ）「【０１２４】
　なお、この実施の形態では、リーチ演出は、演出表示装置９において変動表示される演出図柄（飾り図柄）を用いて実行される。また、
特別図柄の表示結果を大当り図柄にする場合には、リーチ演出は常に実行される。特別図柄の表示結果を大当り図柄にしない場合には、
抽選によって、リーチ演出を実行するか否か決定する。
リーチ演出の制御を実行するのは、演出制御用マイクロコンピュータ１００である
（カ）「【０１７５】
　図１０（Ａ）に示すように、第１特別図柄または第２特別図柄の変動表示が開示されるときに、その変動開始に対応して、
演出表示装置９において、「左」，「中」，「右」の図柄表示エリア９Ｌ，９Ｃ，９Ｒで演出図柄の変動が開始されることにより、左，中，右の演出図柄の変動表示が開始され
・・・
【０１７８】
　そして、図１０（Ｊ）のように
左，右の演出図柄が同じ図柄で停止してリーチ状態となった後、
【０１７９】
　図１０（Ｊ）のように
リーチ状態が開始してから
スーパーリーチのリーチ演出が実行されるまでの演出態様は、再変動後発展演出、再変動なし発展演出、および、直接演出というような複数種類の演出態様のうちから選択される
【０１８０】
　
再変動後発展演出は、リーチ状態からノーマルリーチの演出が実行されてはずれ図柄を仮停止した後に再変動しスーパーリーチの演出に発展するような発展演出が行なわれる演出態様である
・・・
【０１８２】
　
直接演出は、ノーマルリーチの演出および再変動のような発展演出にかかわる演出が行なわれず、そのまま直接的にスーパーリーチの演出が行なわれるような演出態様である
（キ）「【０１８６】
　また、
再変動後発展演出が選択されたときには、
ノーマルリーチのリーチ演出が実行され
リーチはずれ図柄を仮停止した後、
スーパーリーチのリーチ演出が行なわれる。このように、再変動後発展演出が実行されるときに、
仮停止される図柄（中演出図柄）は、発展前仮停止図柄と呼ばれる
（ク）「【０１８７】
　また、
直接演出が選択されたときには、
リーチ状態となった後、
直接的に、
スーパーリーチのリーチ演出が行なわれる
（ケ）「【０３２７】
　前述した表示結果指定コマンド送信処理（Ｓ３０２）においては、
ＣＰＵ５６が、決定されている大当りの種類、または、はずれに応じて、
いずれかの演出制御コマンド
を送信する
（コ）「【０３９５】
　図３８は、
演出制御用マイクロコンピュータ１００がスーパーリーチ発展前の仮停止図柄（中演出図柄の仮停止図柄）を選択するときに用いる発展前仮停止図柄選択テーブル
・・・
【０３９８】
　 発展前仮停止図柄選択テーブル
においては、
「リーチ図柄＋１図柄目」と、「リーチ図柄−１図柄目」とのいずれかが選択されるように、データが設定されている
（サ）「【０４０１】
　次に、演出制御用マイクロコンピュータ１００の動作を説明する。図３９は、演出制御基板８０に搭載されている
演出制御用マイクロコンピュータ１００（具体的には、演出制御用ＣＰＵ１０１）が実行する演出制御メイン処理
・・・
【０４０５】
　このような演出制御メイン処理が実行されることにより、
演出制御用マイクロコンピュータ１００では、
演出表示装置９
等の演出装置を制御することにより、遊技状態に応じた各種の演出制御が行なわれる
【０４０６】
　図４０は、図３９に示された演出制御メイン処理
における演出制御プロセス処理
演出制御プロセス処理では、
以下のような処理を実行する。
・・・
【０４０８】
　
演出図柄変動開始処理（Ｓ８０１）：演出図柄（飾り図柄）の変動表示が開始されるように制御する。
・・・
【０４１０】
　
演出図柄変動停止処理（Ｓ８０３）：演出図柄（飾り図柄）の変動表示を停止し、変動表示の表示結果（停止図柄）を導出表示する制御を行なう
　上記（ア）〜（サ）の記載事項から、以下の事項が導かれる。
（ａ）上記（ウ）【００９５】には、「遊技制御用マイクロコンピュータ５６０は、・・・大当りとするか否かを決定」し、「大当りとすると決定したときに、遊技状態を遊技者にとって有利な・・・大当り遊技状態に移行させる」と記載されている。
　そうすると、刊行物には、遊技者にとって有利な大当り遊技状態に移行する大当りとするか否かを決定する遊技制御用マイクロコンピュータ５６０が記載されているといえる。
（ｂ）上記（サ）【０４０５】には、「演出制御用マイクロコンピュータ１００では、・・・演出表示装置９・・・等の演出装置を制御することにより、遊技状態に応じた各種の演出制御が行なわれる」と記載されている。
　そうすると、刊行物には、演出表示装置９等の演出装置を制御することにより、遊技状態に応じた各種の演出制御を行う演出制御用マイクロコンピュータ１００が記載されているといえる。
（ｃ）上記（サ）【０４０５】には、「演出制御用マイクロコンピュータ１００」と記載されている。
（ｄ）上記（エ）【０１００】には、「演出制御手段（演出制御用マイクロコンピュータで構成される。）が、・・・遊技制御用マイクロコンピュータ５６０から演出内容を指示する演出制御コマンドを受信し、演出図柄を変動表示する演出表示装置９との表示制御を行なう」と、上記（ケ）【０３２７】には、「ＣＰＵ５６が、決定されている大当りの種類、または、はずれに応じて、・・・いずれかの演出制御コマンド・・・を送信する」と、上記（イ）【００９１】には、「遊技制御用マイクロコンピュータ５６０（またはＣＰＵ５６）が実行する（または、処理を行なう）ということは、具体的には、ＣＰＵ５６がプログラムにしたがって制御を実行することである」と、それぞれ、記載されている。
　そして、上記（サ）【０４０１】、【０４０６】〜【０４１０】には、「演出制御用マイクロコンピュータ１００（具体的には、演出制御用ＣＰＵ１０１）が実行する演出制御メイン処理・・・における演出制御プロセス処理・・・では、・・・以下のような処理を実行する。・・・演出図柄変動開始処理（Ｓ８０１）：演出図柄（飾り図柄）の変動表示が開始されるように制御する。・・・演出図柄変動停止処理（Ｓ８０３）：演出図柄（飾り図柄）の変動表示を停止し、変動表示の表示結果（停止図柄）を導出表示する制御を行なう」と記載されている。
　また、上記（オ）【０１２４】には、「特別図柄の表示結果を大当り図柄にする場合には、リーチ演出は常に実行される。特別図柄の表示結果を大当り図柄にしない場合には、・・・抽選によって、リーチ演出を実行するか否か決定する。・・・リーチ演出の制御を実行するのは、演出制御用マイクロコンピュータ１００である」と記載されている。
　そうすると、刊行物には、演出制御用マイクロコンピュータ１００は、遊技制御用マイクロコンピュータ５６０から、決定されている大当りの種類またははずれに応じた演出内容を指示する演出制御コマンドを受信し、演出表示装置９において、演出図柄の変動表示を開始し、停止して、変動表示の表示結果を導出表示するとともに、表示結果を大当り図柄にする場合には、常に実行され、大当り図柄にしない場合には、抽選によって実行するか否か決定される、リーチ演出の制御を実行することが記載されているといえる。
（ｅ）上記（カ）【０１７５】〜【０１７９】には、「演出表示装置９において、「左」，「中」，「右」の図柄表示エリア９Ｌ，９Ｃ，９Ｒで演出図柄の変動が開始されることにより、左，中，右の演出図柄の変動表示が開始され・・・左，右の演出図柄が同じ図柄で停止してリーチ状態となった後、・・・スーパーリーチのリーチ演出が実行されるまでの演出態様は、再変動後発展演出、再変動なし発展演出、および、直接演出というような複数種類の演出態様のうちから選択される」ことが、上記（カ）【０１８２】には、「直接演出は、ノーマルリーチの演出および再変動のような発展演出にかかわる演出が行なわれず、そのまま直接的にスーパーリーチの演出が行なわれるような演出態様である」ことが、上記（ク）【０１８７】には、「直接演出が選択されたときには、・・・リーチ状態となった後、・・・直接的に、・・・スーパーリーチのリーチ演出が行なわれる」ことが、それぞれ、記載されている。
　そうすると、刊行物には、左，中，右の演出図柄の変動表示が開始され、左，右の演出図柄が同じ図柄で停止してリーチ状態となった後、ノーマルリーチの演出が行われずに、直接的に、スーパーリーチのリーチ演出が行われる直接演出が選択されることがあることが記載されているといえる。
（ｆ）上記（カ）【０１７５】〜【０１８０】には、「演出表示装置９において、「左」，「中」，「右」の図柄表示エリア９Ｌ，９Ｃ，９Ｒで演出図柄の変動が開始されることにより、左，中，右の演出図柄の変動表示が開始され・・・左，右の演出図柄が同じ図柄で停止してリーチ状態となった後、・・・スーパーリーチのリーチ演出が実行されるまでの演出態様は、再変動後発展演出、再変動なし発展演出、および、直接演出というような複数種類の演出態様のうちから選択される。・・・再変動後発展演出は、リーチ状態からノーマルリーチの演出が実行されてはずれ図柄を仮停止した後に再変動しスーパーリーチの演出に発展するような発展演出が行なわれる演出態様である」ことが、上記（キ）【０１８６】には、「再変動後発展演出が選択されたときには、・・・ノーマルリーチのリーチ演出が実行され・・・リーチはずれ図柄を仮停止した後、・・・スーパーリーチのリーチ演出が行なわれる。このように、再変動後発展演出が実行されるときに、・・・仮停止される図柄（中演出図柄）は、発展前仮停止図柄と呼ばれる」ことが、それぞれ、記載されている。
　また、上記（コ）【０３９５】、【０３９８】には、「演出制御用マイクロコンピュータ１００がスーパーリーチ発展前の仮停止図柄（中演出図柄の仮停止図柄）を選択するときに用いる発展前仮停止図柄選択テーブル・・・においては、・・・「リーチ図柄＋１図柄目」と、「リーチ図柄−１図柄目」とのいずれかが選択されるように、データが設定されている」と記載されている
　そうすると、刊行物には、左，中，右の演出図柄の変動表示が開始され、左，右の演出図柄が同じ図柄で停止してリーチ状態となった後、ノーマルリーチのリーチ演出が行われ、「リーチ図柄＋１図柄目」と、「リーチ図柄−１図柄目」とのいずれかが選択される発展前仮停止図柄を仮停止した後、スーパーリーチのリーチ演出が行われる再変動後発展演出が選択されることがあることが記載されているといえる。
（ｇ）上記（ｆ）より、刊行物には、左，右の演出図柄が同じ図柄で停止してリーチ状態となった後、ノーマルリーチのリーチ演出が行い、仮停止する発展前仮停止図柄は、「リーチ図柄＋１図柄目」と、「リーチ図柄−１図柄目」とのいずれかが選択されることが記載されているといえる。
（ｉ）上記（ア）【００２１】には、「パチンコ遊技機１」と記載されている。
　以上（ア）〜（サ）の記載事項及び上記（ａ）〜（ｉ）の認定事項を総合すれば、刊行物には、以下の発明（以下、「引用発明」という。）が記載されている（ａ〜ｉは発明の構成を分説するため当審で付した。）。
「ａ　遊技者にとって有利な大当り遊技状態に移行する大当りとするか否かを決定する遊技制御用マイクロコンピュータ５６０と、
ｂ　演出表示装置９等の演出装置を制御することにより、遊技状態に応じた各種の演出制御を行う演出制御用マイクロコンピュータ１００と、を備え、
ｃ　演出制御用マイクロコンピュータ１００は、　
ｄ　遊技制御用マイクロコンピュータ５６０から、決定されている大当りの種類またははずれに応じた演出内容を指示する演出制御コマンドを受信し、演出表示装置９において、演出図柄の変動表示を開始し、停止して、変動表示の表示結果を導出表示するとともに、表示結果を大当り図柄にする場合には、常に実行され、大当り図柄にしない場合には、抽選によって実行するか否か決定される、リーチ演出の制御を実行し、
ｅ　左，中，右の演出図柄の変動表示が開始され、左，右の演出図柄が同じ図柄で停止してリーチ状態となった後、ノーマルリーチの演出が行われずに、直接的に、スーパーリーチのリーチ演出が行われる直接演出が選択されることと、
ｆ　左，中，右の演出図柄の変動表示が開始され、左，右の演出図柄が同じ図柄で停止してリーチ状態となった後、ノーマルリーチのリーチ演出が行われ、「リーチ図柄＋１図柄目」と、「リーチ図柄−１図柄目」とのいずれかが選択される発展前仮停止図柄を仮停止した後、スーパーリーチのリーチ演出が行われる再変動後発展演出が選択されることと、があり、
ｇ　左，右の演出図柄が同じ図柄で停止してリーチ状態となった後、ノーマルリーチのリーチ演出を行い、仮停止する発展前仮停止図柄は、「リーチ図柄＋１図柄目」と、「リーチ図柄−１図柄目」とのいずれかが選択される、
ｉ　パチンコ遊技機１。」
３　対比
　本願発明と引用発明とを対比する。なお、見出しは（ａ）〜（ｉ）とし、本願発明、引用発明の分説に対応させている。
（ａ）引用発明の「遊技者にとって有利な大当り遊技状態」は、本願発明の「遊技者に有利な特別遊技」に相当する。
　そうすると、引用発明の「遊技者にとって有利な大当り遊技状態に移行する大当りとするか否かを決定する」ことは、本願発明の「遊技者に有利な特別遊技を行うか否かの特別遊技判定を行う」ことに相当するといえる。
　したがって、引用発明の「遊技制御用マイクロコンピュータ５６０」は、本願発明の「特別遊技判定手段」に相当する。
　よって、引用発明の「遊技者にとって有利な大当り遊技状態に移行する大当りとするか否かを決定する遊技制御用マイクロコンピュータ５６０」は、本願発明の「遊技者に有利な特別遊技を行うか否かの特別遊技判定を行う特別遊技判定手段」に相当する。
（ｂ）引用発明の「演出表示装置９等の演出装置」は、本願発明の「表示手段を含む所定の演出手段」に相当する。
　また、引用発明の「遊技状態に応じた各種の演出制御を行う」ことは、本願発明の「所定の演出を行わせる」ことに相当する。
　したがって、引用発明の「演出制御用マイクロコンピュータ１００」は、本願発明の「演出制御手段」に相当する。
　よって、引用発明の「演出表示装置９等の演出装置を制御することにより、遊技状態に応じた各種の演出制御を行う演出制御用マイクロコンピュータ１００」は、本願発明の「表示手段を含む所定の演出手段に所定の演出を行わせる演出制御手段」に相当する。
（ｃ）上記（ｂ）より、引用発明の「演出制御用マイクロコンピュータ１００」は、本願発明の「演出制御手段」に相当する。
（ｄ）上記（ｂ）より、引用発明の「演出表示装置９」は、本願発明の「表示手段」に相当する。
　そして、引用発明の「演出図柄の変動表示を開始し、停止して、変動表示の表示結果を導出表示する」ことは、本願発明の「複数の装飾図柄を変動表示させてから所定の停止パターンで停止表示させる変動演出を行」うことに相当する。
　また、引用発明の「表示結果を大当り図柄にする場合には」、「リーチ演出」を「常に実行」し、「表示結果を」「大当り図柄にしない場合には、抽選によって」「リーチ演出」を「実行するか否か決定」するということは、リーチ演出が実行されない場合は大当り図柄にならず、リーチ演出が実行されても大当り図柄にならない場合もあるが、大当り図柄になる場合は、「リーチ演出」を「常に実行」するものであるから、「リーチ演出」が行われると「特別遊技が行われる可能性が高いことを示唆」しているといえる。
　また、上記（ａ）の検討を踏まえると、引用発明において「決定されている大当りの種類またははずれ」を決定するのは、「遊技制御用マイクロコンピュータ５６０」であるから、「遊技制御用マイクロコンピュータ５６０から、決定されている大当りの種類またははずれに応じた演出内容を指示する演出制御コマンドを受信」して、演出表示装置９において、変動表示の表示結果を導出表示するとともに、リーチ演出の制御を実行することは、本願発明の「特別遊技判定手段の判定結果に基づいて」、表示手段において、変動演出やリーチ演出を行うことに相当する。
　よって、引用発明の、演出制御用マイクロコンピュータ１００は、「遊技制御用マイクロコンピュータ５６０から、決定されている大当りの種類またははずれに応じた演出内容を指示する演出制御コマンドを受信し、演出表示装置９において、演出図柄の変動表示を開始し、停止して、変動表示の表示結果を導出表示するとともに、表示結果を大当り図柄にする場合には、常に実行されるリーチ演出の制御を実行」することは、本願発明の、演出制御手段は、「前記特別遊技判定手段の判定結果に基づいて、前記表示手段において、複数の装飾図柄を変動表示させてから所定の停止パターンで停止表示させる変動演出を行わせることが可能であると共に、前記変動演出において、前記特別遊技が行われる可能性が高いことを示唆するリーチ演出を行わせることが可能であ」ることに相当する。
（ｅ）引用発明の「左，中，右の演出図柄の変動表示が開始され、左，右の演出図柄が同じ図柄で停止してリーチ状態とな」ることは、本願発明の「前記複数の装飾図柄のうち少なくとも２つの装飾図柄を同一図柄となる第１停止パターンで停止表示させ」ることに相当する。
　また、引用発明の「ノーマルリーチの演出が行われずに、直接的に、スーパーリーチのリーチ演出が行われる」ことは、本願発明の「前記複数の装飾図柄の全てを停止表示させないで、前記リーチ演出のうちの特定のリーチ演出を行わせる」ことに相当する。
　したがって、引用発明の「直接演出」は、本願発明の「第１演出パターン」に相当し、引用発明の「直接演出が選択されること」があることは、本願発明の「第１演出パターンを実行するとき」があることに相当する。
　よって、引用発明の、演出制御用マイクロコンピュータ１００は、「左，中，右の演出図柄の変動表示が開始され、左，右の演出図柄が同じ図柄で停止してリーチ状態となった後、ノーマルリーチの演出が行われずに、直接的に、スーパーリーチのリーチ演出が行われる直接演出が選択されること」があることは、本願発明の、演出制御手段は、「前記複数の装飾図柄のうち少なくとも２つの装飾図柄を同一図柄となる第１停止パターンで停止表示させてから、前記複数の装飾図柄の全てを停止表示させないで、前記リーチ演出のうちの特定のリーチ演出を行わせる第１演出パターンを実行するとき」があることに相当する。
（ｆ）上記（ｅ）での検討に加え、引用発明の、リーチ状態となった後、「ノーマルリーチのリーチ演出が行われ、「リーチ図柄＋１図柄目」と、「リーチ図柄−１図柄目」とのいずれかが選択される発展前仮停止図柄を仮停止した後、スーパーリーチのリーチ演出が行われる」ことは、本願発明の、第１停止パターンで停止表示させた後、「前記複数の装飾図柄の全てを所定の組み合わせとなる第２停止パターンで停止表示させてから前記特定のリーチ演出を行わせる」ことに相当する。
　したがって、引用発明の「再変動後発展演出」は、本願発明の「第２演出パターン」に相当し、引用発明の「再変動後発展演出が選択されること」があることは、本願発明の「第２演出パターンを実行するとき」があることに相当する。
　よって、引用発明の、演出制御用マイクロコンピュータ１００は、「左，中，右の演出図柄の変動表示が開始され、左，右の演出図柄が同じ図柄で停止してリーチ状態となった後、発展前仮停止図柄を仮停止した後、スーパーリーチのリーチ演出が行われる再変動後発展演出が選択されること」があることは、本願発明の、演出制御手段は、「前記複数の装飾図柄のうち少なくとも２つの装飾図柄を前記第１停止パターンで停止表示させた後、前記複数の装飾図柄の全てを所定の組み合わせとなる第２停止パターンで停止表示させてから前記特定のリーチ演出を行わせる第２演出パターンを実行するとき」があることに相当する。
（ｇ）上記（ｆ）での検討を踏まえると、引用発明の「左，右の演出図柄が同じ図柄で停止してリーチ状態となった後、ノーマルリーチのリーチ演出を行い」、「発展前仮停止図柄」が「仮停止」した「演出図柄」は、本願発明の「第２停止パターンで停止表示された装飾図柄」に相当する。
　そして、引用発明の「「リーチ図柄＋１図柄目」と、「リーチ図柄−１図柄目」とのいずれかが選択される」「発展前仮停止図柄」は、「発展前仮停止図柄」の仮停止により、スーパーリーチに発展することを示唆するものであるから、本願発明の「リーチ演出が実行されることを示唆可能な表示態様」であるといえる。
　よって、引用発明の「左，右の演出図柄が同じ図柄で停止してリーチ状態となった後、ノーマルリーチのリーチ演出を行い、仮停止する発展前仮停止図柄は、「リーチ図柄＋１図柄目」と、「リーチ図柄−１図柄目」とのいずれかが選択される」ことは、本願発明の「前記第２停止パターンで停止表示された装飾図柄は、前記リーチ演出が実行されることを示唆可能な表示態様であ」ることに相当する。
（ｉ）引用発明の「パチンコ遊技機１」は、本願発明の「遊技機」に相当する。
　上記（ａ）〜（ｉ）の対比により、本願発明と引用発明とは、
「Ａ　遊技者に有利な特別遊技を行うか否かの特別遊技判定を行う特別遊技判定手段と、
Ｂ　表示手段を含む所定の演出手段に所定の演出を行わせる演出制御手段と、を備え、
Ｃ　前記演出制御手段は、
Ｄ　前記特別遊技判定手段の判定結果に基づいて、前記表示手段において、複数の装飾図柄を変動表示させてから所定の停止パターンで停止表示させる変動演出を行わせることが可能であると共に、前記変動演出において、前記特別遊技が行われる可能性が高いことを示唆するリーチ演出を行わせることが可能であり、
Ｅ　前記複数の装飾図柄のうち少なくとも２つの装飾図柄を同一図柄となる第１停止パターンで停止表示させてから、前記複数の装飾図柄の全てを停止表示させないで、前記リーチ演出のうちの特定のリーチ演出を行わせる第１演出パターンを実行するときと、
Ｆ　前記複数の装飾図柄のうち少なくとも２つの装飾図柄を前記第１停止パターンで停止表示させた後、前記複数の装飾図柄の全てを所定の組み合わせとなる第２停止パターンで停止表示させてから前記特定のリーチ演出を行わせる第２演出パターンを実行するときと、があり、
Ｇ　前記第２停止パターンで停止表示された装飾図柄は、前記リーチ演出が実行されることを示唆可能な表示態様である、
Ｉ’　遊技機。」
である点で一致し、以下の点で相違する。
［相違点］
　本願発明では、第１演出パターンにおいて第１停止パターンで停止表示されるタイミングは、第２演出パターンにおいて第１停止パターンで停止表示されるタイミングと同じであり、第２演出パターンにおいて第２停止パターンで停止表示されるタイミングよりも、第１演出パターンにおいて特定のリーチ演出が実行されるタイミングの方が早いとしているのに対し、引用発明では、このような特定がされていない点。
４　判断
　上記相違点について検討する。
　引用発明の構成ｅ、ｆによれば、引用発明の「直接演出」も「再変動後発展演出」も、「左，中，右の演出図柄の変動表示が開始され、左，右の演出図柄が同じ図柄で停止してリーチ状態となった後」に選択的に実行されるものであるから、引用発明の「直接演出」および「再変動後発展演出」において、「リーチ状態」となるタイミングを同じとすることは、当業者が適宜なし得たことである。
　また、引用発明は、「リーチ状態となった後」、「直接演出」は、「ノーマルリーチの演出」を行わずに「直接的にスーパーリーチのリーチ演出」を行うが、「再変動後発展演出」は、「ノーマルリーチのリーチ演出」を行い、「発展前仮停止図柄を仮停止した後、スーパーリーチのリーチ演出」を行うものであるから、「再変動後発展演出」において「発展前仮停止図柄」で停止表示されるタイミングよりも、「直接演出」において「スーパーリーチのリーチ演出」が実行されるタイミングの方が早いことを示唆しているといえる。
　そして、変動演出において、演出を変更するタイミングは適宜決定し得るものであるから、引用発明の直接演出及び再変動後発展演出のそれぞれの演出変更のタイミングをどのようにするかは、当業者が適宜なし得る設計事項にすぎない。
　したがって、刊行物の示唆に基づいて、当該相違点に係る本願発明の構成とすることは、当業者が容易になし得たものである。
５　審判請求人の主張について
　平成２９年８月３０日付けの意見書において、請求人は、本願発明の作用効果として、「第１演出パターンにおいて、第１停止パターンで停止表示されてから（つまり、リーチ成立してから）特定のリーチ演出に発展するまでの間延びをなくすことができるので、近年遊技者に好まれない傾向にある間延び感を排除して、テンポの良い演出進行を実現でき」ると主張している（２頁３０〜３３行）。
　この主張について検討すると、上記４で検討したとおり、刊行物には、「再変動後発展演出」において「発展前仮停止図柄」で停止表示されるタイミングよりも、「直接演出」において「スーパーリーチのリーチ演出」が実行されるタイミングの方が早いことが示唆されているといえるから、上記請求人が主張する効果は、刊行物の示唆から予測し得る範囲のものであり格別なものとはいえない。
　よって、請求人の主張は採用できない。
６　むすび
　以上のとおりであるから、本願発明は、引用発明に基づいて当業者が容易に発明をすることができたものであり、特許法第２９条第２項の規定により特許を受けることができない。
　したがって、本願は、拒絶されるべきものである。
　よって、結論のとおり審決する。